(57)【要約】【課題】鉄筋コンクリート基礎を施工する際に、鉄筋構造体の幅間隔が狭くなった場合においても使用することができるコンクリート型枠支持具を提供する。【解決手段】底板２上に支持脚３，３を備え、該支持脚３，３上にコンクリート型枠を載置する型枠載置部５を有したコンクリート型枠支持具１において、型枠載置部５は支持脚３，３に対して着脱可能となるように別体とした。【選択図】図１
2004027513.tif 000002
【特許請求の範囲】
【請求項１】
底板上に支持脚を備え、該支持脚上にコンクリート型枠を載置する型枠載置部を有したコンクリート型枠支持具において、
型枠載置部は支持脚に対して着脱可能となるように別体としたことを特徴とするコンクリート型枠支持具。
【請求項２】
型枠載置部と、支持脚の両方またはどちらか一方に両者を一体化するための係止手段を有していることを特徴とする請求項１に記載のコンクリート型枠支持具。
【請求項３】
係止手段に抜け止め手段を設けたことを特徴とする請求項２に記載のコンクリート型枠支持具。
【請求項４】
支持脚はコンクリートを補強するための補強材との接触を回避するように底板から内側へ斜めに延出する傾斜部を備えていることを特徴とする請求項１から３のいずれかに記載のコンクリート型枠支持具。
【請求項５】
コンクリート型枠を載置する型枠載置部にはコンクリートを補強するための補強材との接触を回避するように回避部を有していることを特徴とする請求項１から４のいずれかに記載のコンクリート型枠支持具。
【請求項６】
コンクリート型枠を載置する型枠載置部には、コンクリート型枠の内枠と外枠の間隔を規制する間隔保持手段を有していることを特徴とする請求項１から５のいずれかに記載のコンクリート型枠支持具。
【請求項７】
底板及び支持脚並びに型枠載置部の一部または全てを金属製としたことを特徴とする請求項１から６のいずれかに記載のコンクリート型枠支持具。
【発明の詳細な説明】
【０００１】
【発明の属する技術分野】
本発明は、基準面上に鉄筋コンクリートの基礎であるベース部及び立ち上がり部を構築するときに、この基礎コンクリート内に埋設される鉄筋を基礎面から所定位置に支持させ且つ、立ち上がり部を形成するためのコンクリート型枠を支持する支持具に関するものである。
【０００２】
【従来の技術】
従来のコンクリート型枠支持具は、図５に示す構造となっている。このコンクリート型枠支持具１ａは、底板２に支持脚３，３が一体的に溶接されており、支持脚３，３の間には横棒４が掛け渡されている。
【０００３】
そして、施工時には図６に示すように地面９の上に砂利等８を敷詰め砕石転圧して所定のレベルを出した後、この上に上述のコンクリート型枠支持具１ａを所定の間隔で載置するのである。
【０００４】
次に、予めユニット組みされた鉄筋構造体１２を、コンクリート型枠支持具１ａの横棒４に載置しつつ、コンクリートを打設すべき位置に配設した後、コンクリート型枠支持具１ａの支持脚３の載置部にコンクリート型枠１０ａ，１０ｂを載置し、内枠１０ａと外枠１０ｂとの間隔を規制する間隔保持具１１を取付けるのである。
【０００５】
最後に、コンクリートを打設して、ベース部１３と立ち上がり部１４とが一体となった鉄筋コンクリート基礎１５が完成するのである。
【０００６】
【発明が解決しようとする課題】
しかしながら、鉄筋構造体１２は図７に示すように、予め、工場で溶接されて組み立てられたものを施工現場に運んで設置するものであり、鉄筋の間隔は施工現場に対応した間隔で組み立てられるものである。従って、鉄筋の間隔Ａがコンクリート型枠支持具１ａのＣからＤの長さを引いた長さよりも狭い場合には（図５参照）、このコンクリート型枠支持具を使用できない事態も生じていた。
【０００７】
本発明は上記点に鑑み、鉄筋コンクリート基礎を施工する際に、鉄筋構造体の幅間隔が狭くなった場合においても使用することができるコンクリート型枠支持具を提供することを目的とする。
【０００８】
【課題を解決するための手段】
請求項１の発明は、底板上に支持脚を備え、該支持脚上にコンクリート型枠を載置する型枠載置部を有したコンクリート型枠支持具において、型枠載置部は支持脚に対して着脱可能となるように別体としたことに特徴を有する。
【０００９】
請求項２の発明は、型枠載置部と、支持脚の両方またはどちらか一方に両者を一体化するための係止手段を有していることに特徴を有する。
【００１０】
請求項３の発明は、係止手段に抜け止め手段を設けたことに特徴を有する。
【００１１】
請求項４の発明は、支持脚はコンクリートを補強するための補強材との接触を回避するように底板から内側へ斜めに延出する傾斜部を備えていることに特徴を有する。
【００１２】
請求項５の発明は、コンクリート型枠を載置する型枠載置部にはコンクリートを補強するための補強材との接触を回避するように回避部を有していることに特徴を有する。
【００１３】
請求項６の発明は、コンクリート型枠を載置する型枠載置部には、コンクリート型枠の内枠と外枠の間隔を規制する間隔保持手段を有していることに特徴を有する。
【００１４】
請求項７の発明は、底板及び支持脚並びに型枠載置部の一部または全てを金属製としたことに特徴を有する。
【００１５】
【発明の実施の形態】
次に、本発明の実施形態を図面に基づいて説明する。図１は本発明に係るコンクリート型枠支持具を示す分解説明図である。コンクリート型枠支持具１は、底板２に左右の支持脚３，３が溶接されて固定されている。
【００１６】
この支持脚３は略逆Ｕ字型をしており、底板２に対して垂直な垂直部３ａ，３ｂと、底板２に対して内側に傾斜する傾斜部３ｃとを備えている。この傾斜部３ｃがあることによって、基礎コンクリートを補強するために配設される鉄筋との接触を回避することができるのである。
【００１７】
また、支持脚３，３間には横棒４が掛け渡されて固定されているが、この横棒４は配設される鉄筋を載置するためのものである。
【００１８】
そして、支持脚３，３上に枠載置部５が載置されるのであるが、この枠載置部５は支持脚３，３に着脱可能に嵌合する係止手段６，６が設けられている。
【００１９】
また、この係止手段６，６には抜け止め手段６ａ，６ａが設けられている。
【００２０】
さらに、枠載置部５の中央にはコンクリートの補強材である鉄筋を回避するための回避部５ａが設けられている。
【００２１】
ここで、本発明に係るコンクリート型枠支持具１において、支持脚３，３と、枠載置部５とを別体とした理由は、前述した従来の課題を解決するためである。即ち、枠載置部５の長手寸法が、図７に示した鉄筋構造体１２のＡ寸法よりも長い場合であっても、別体とすることで、先に支持脚３，３側を鉄筋構造体１２内部に設置した後、配設された鉄筋を避けるようにして枠載置部５を鉄筋構造体１２の中へ挿入して支持脚３，３に嵌合すればよいのである。
【００２２】
尚、図１で示した枠載置部５は丸棒を加工して形成されるものとしているが、図２に示す枠載置部５ｂのように、平板状のものを加工して形成したものであってもよい。
【００２３】
図３は、係止手段の部分を示す説明図である。図１で示したように、係止手段６，６は枠載置部５の２箇所であって、コンクリート型枠を載置する側とは反対側に溶接等で固着されるものである。
【００２４】
そして、係止手段６は、支持脚３の垂直部３ｂに嵌合する断面コ字状の部分と、溝６ｂの部分を内側に折り曲げることによって、枠載置部５が支持脚３から抜けることがないようにした抜け止め手段６ａとから構成されているのである。
【００２５】
図４は、本発明に係るコンクリート型枠支持具の枠載置部の他の例を示す説明図である。この枠載置部５ｃは、係止手段６，６と、抜け止め手段６ａ，６ａとを有していると共に、コンクリート型枠を載置する部分が型枠の内枠と外枠の間隔を規制する間隔保持手段７を兼ねているものである。したがって、従来、別体の間隔保持具を使用してコンクリート型枠の別の場所に取付けていたものを、この枠載置部５ｃを使用することによって、コンクリート型枠支持具への載置の作業と同時に行うことができるので、作業性を向上させることができるのである。
【００２６】
尚、本発明の趣旨を逸脱しない範囲において、種々の実施形態をとるこができることは言うまでもない。上記実施形態では枠載置部５，５ｂ，５ｃ側に係止手段を設置する構成としているが、支持脚３側に係止手段を設置する構成としてもよく、さらには、枠載置部５，５ｂ，５ｃ及び支持脚３の両方の側に係止手段を設置する構成としてもよいものである。
【００２７】
また、本発明に係るコンクリート型枠支持具は、その全てを金属により製造することを予定しているが、これに限定されるものではなく、一部を金属製、他の部分をプラスチック等の合成樹脂製等、様々な材質の部材で製造してもよいものである。
【００２８】
【発明の効果】
請求項１の発明は、底板上に支持脚を備え、該支持脚上にコンクリート型枠を載置する型枠載置部を有したコンクリート型枠支持具において、型枠載置部は支持脚に対して着脱可能となるように別体としたことに特徴を有するので、鉄筋構造体の間隔が狭い場合でも使用することができる汎用性のあるコンクリート型枠支持具である。
【００２９】
請求項２の発明は、型枠載置部と、支持脚の両方またはどちらか一方に両者を一体化するための係止手段を有していることに特徴を有するので、請求項１の発明と同様に、鉄筋構造体の間隔が狭い場合でも使用することができる汎用性のあるコンクリート型枠支持具である。
【００３０】
請求項３の発明は、係止手段に抜け止め手段を設けたことに特徴を有するので、支持脚と型枠載置部との固定を強固なものとすることができる。
【００３１】
請求項４の発明は、支持脚はコンクリートを補強するための補強材との接触を回避するように底板から内側へ斜めに延出する傾斜部を備えていることに特徴を有するので、補強材である鉄筋との接触を回避することができる。
【００３２】
請求項５の発明は、コンクリート型枠を載置する型枠載置部にはコンクリートを補強するための補強材との接触を回避するように回避部を有していることに特徴を有するので、請求項４の発明と同様に、補強材である鉄筋との接触を回避することができる。
【００３３】
請求項６の発明は、コンクリート型枠を載置する型枠載置部には、コンクリート型枠の内枠と外枠の間隔を規制する間隔保持手段を有していることに特徴を有するので、別に間隔保持具を設置する必要がなく、作業性の向上を図ることができる。
【００３４】
請求項７の発明は、底板及び支持脚並びに型枠載置部の一部または全てを金属製としたことに特徴を有するので、加工が容易でコンクリート型枠支持具の製造コストを下げることができる。
【図面の簡単な説明】
【図１】本発明に係るコンクリート型枠支持具を示す分解説明図である。
【図２】本発明に係るコンクリート型枠支持具の枠載置部の他の例を示す説明図である。
【図３】本発明に係るコンクリート型枠支持具の係止手段部分を示す説明図である。
【図４】本発明に係るコンクリート型枠支持具の枠載置部の他の例を示す説明図である。
【図５】従来のコンクリート型枠支持具を示す説明図である。
【図６】従来のコンクリート型枠支持具を施工現場で使用した状態を示す説明図である。
【図７】鉄筋構造体を示す説明図である。
【符号の説明】
１，１ａ　コンクリート型枠支持具
２　底板
３　支持脚
４　横棒
５，５ｂ，５ｃ　枠載置部
６　係止手段
６ａ　抜け止め手段
７　間隔保持手段
１１　間隔保持具
１２　鉄筋構造体
１３　ベース部
１４　立ち上がり部
１５　鉄筋コンクリート基礎
【図１】
2004027513.tif 000003
【図２】
2004027513.tif 000004
【図３】
2004027513.tif 000005
【図４】
2004027513.tif 000006
【図５】
2004027513.tif 000007
【図６】
2004027513.tif 000008
【図７】
2004027513.tif 000009